Podtech/llm-jp-corpus-v4-ja_patent huggingface dataset:
(57)【要約】      （修正有）【課題】土台部の上部に風圧を受けても支持金具には力が伝わらない免震用固定装置を提供する。【解決手段】地震時には揺れにより固定用シャフト１の支持金具４が倒れ固定用シャフトが落下し、固定がはずれ免震装置が作用する。【選択図】図１
2006291687.tif 000002
【特許請求の範囲】
【請求項１】
基礎部の保持金具と土台部の保持金具の間に固定用シャフトを通して支持金具で保持し基礎部と土台部とを固定することを特徴とする免震用固定装置。
【請求項２】
地震の時に固定用シャフトの支持金具が揺れにより倒れて固定用シャフトを落下させる事を特徴とする免震用固定装置。
【発明の詳細な説明】
【技術分野】
【０００１】免震装置は基礎部と土台部とは縁が切れているため風圧に対して難点があった。
本発明は基礎部と土台部の間に工夫を加えたことによって固定できるようにしたものである。【０００２】地震の振動で建築物と構造物が揺れた場合には基礎部のシャフトの支持金具が倒れ固定用シャフトが落下して土台部の固定をはずすよう工夫した事が特徴である。【０００３】振動だけに作用するよう開発された固定装置であり、土台部の上部に風圧を受けても支持金具には力が伝わらないよう工夫している事が特徴である。
【背景技術】
【特許文献１】
【非特許文献１】
【発明の開示】
【発明が解決しようとする課題】
【０００４】基礎部と土台部に固定用シャフトを通して支持金具で保持するため基礎部と土台部を固定することを課題とする。【０００５】地震の揺れで支持金具が倒れて固定用シャフトが落下し基礎部と土台部の固定をはずすことを課題とする。
【課題を解決するための手段】
【０００６】この課題を解決するため請求項１の考案は基礎部と土台部の間に固定用シャフトを通して固定する事で解決する。【０００７】請求項２の考案は地震の揺れで固定用シャフトの支持金具が倒れてシャフトが落下して固定をはずす事で解決する。
【発明の効果】
【０００８】地震の振動で固定用シャフトの支持金具が倒れる事でシャフトが落下し固定がはずれ免震装置を作用させる事ができるので建築物と構造物の倒壊を防ぐ事に効果がある。
【発明を実地するための最良の形態】
【０００９】図面１図は通常時の固定シャフトの断面図であり、図面２図は地震の揺れで支持金具が倒れ固定用シャフトが落下して基礎部と土台部の縁が切れた事を示す断面図である。
【００１０】シャフト支持金具は二段組の様に組み合わせても良い。
【００１１】シャフト支持金具はスプリング又ボルトとの組み合わせでも良い。
【産業上の利用可能性】
【００１２】基礎部と土台部を固定することにより建築物だけでなく構造物等の利用価値が広く軽量物から重量物まで固定が出来るので産業上の利用可能性は広い。
【図面の簡単な説明】
【００１３】図面１図は基礎部と土台部の固定した状態を示す。【００１４】図面２図は地震の揺れで支持金具が倒れて基礎部と土台部の縁が切れ固定がはずれた事を示す。
【符号の説明】
【００１５】▲１▼  固定用シャフト
▲２▼  土台側シャフト固定用金物
▲３▼  基礎側シャフト固定用金物
▲４▼  支持金具
▲５▼  土台部
▲６▼  基礎部
2006291687.tif 000003
【手続補正書】
【提出日】平成17年6月21日(2005.6.21)
【手続補正１】
【補正対象書類名】図面
【補正対象項目名】全図
【補正方法】変更
【補正の内容】
【図１】
2006291687.tif 000004
【図２】
2006291687.tif 000005
(57)【要約】【課題】特開２００３-２６９３１８の装置（並進翼機と呼ぶ）の機構の簡略化は装置の軽量化、信頼性向上延いては製造コストの低減に結びつく。特に、並進翼機を航空機として利用する場合、軽量化は最重要課題である。【解決手段】解決手段は、ピッチ角制御ではなく回転数制御で出力制御を行う方法、一枚のガイド板上を二以上のローラで挟みブレード位置決めをおこなう方法およびピッチ角制御が不可避の場合は、ブレード軸に固設された二本のアームの角度を変えることによりピッチ角を変える方法による。【選択図】図１
2006291796.tif 000002
【特許請求の範囲】
【請求項１】
特開２００３-２６９３１８の装置を以下で並進翼機と呼ぶ。
回転数制御で出力制御をおこなう並進翼機
【請求項２】
ガイドレール板上を二以上のローラで挟みブレード位置決めをおこなう並進翼機  
【請求項３】
固設されたブレードガイド溝と二枚のうちの一枚は可動であるガイド板を備え、ブレード軸に二本のアームが固設され一本のアームはバネ様の弾性体であり、アーム先端のベアリング等滑動体が二枚のガイド板上を滑る配置とし、可動のガイド板の位置変化でブレードピッチ角を制御する並進翼機
【発明の詳細な説明】
【技術分野】
【０００１】
並進翼機のブレードガイドおよびピッチガイドに関する。
【背景技術】
【０００２】
特開２００３-２６９３１８の並進翼機の出力制御は、ピッチ角制御により行うため機構が複雑となる。
【０００３】
また、特開２００３-２６９３１８ではピッチ角を決めるピッチアームはブレード位置決めガイドの外側に配置するため位置決めガイドの固定方法が大掛かりになってしまう不都合がある。
【０００４】
この改善策として、ピッチ角制御ではなく回転数制御で出力制御を行う方法、一枚のガイド板上を二以上のローラで挟みブレード位置決めをおこなう方法およびピッチ角制御が不可避の場合は、ブレード軸に固設された二本のアームの角度を変えることによりピッチ角を変える方法により特開２００３-２６９３１８より簡素な機構が実現できる。
【特許文献１】特開平１０-６１５９８公報
【発明の開示】
【発明が解決しようとする課題】
【０００５】
解決しようとする問題点は、特開２００３-２６９３１８の機構の簡素化を図ることである。
【発明の効果】
【０００６】
本発明により、並進翼機の機構の簡素化を図る事ができ、軽量化、信頼性向上、延いては製造コストの低減につながる。特に航空機とする場合には軽量化は最も重要な事項である。
【実施例】
【０００７】
図１は、請求項１の実施例である。ピッチ制御を行わない、すなわちピッチ角を固定する一例である。ブレード軸１に固設されたクランクアーム２はピッチガイド板３に沿って滑動する。１はブレードガイド４に沿って動き３と４との位置差でブレードのピッチ角は決まる。
【０００８】
図２は請求項２の実施例である。特開２００３-２６９３１８ではブレード軸は二枚のガイド板に挟まれた形が採られているが、内側と外側とのガイド板は切り離されているためそれぞれを別個に固定しなければならなかった。図２のように一枚のガイド板５を二以上のローラ６で挟むことにより一枚の５を固定するだけでよい。
【０００９】
図３は請求項３の実施例である。ブレードガイド溝７とガイド板８との相対位置は固定されており、ガイド板９はこれらとの相対位置は可変である。あるいは７と９とが固定され８が可動でもよい。ブレード軸１は７に沿って滑動する。１に固設されたアーム１０、１１は８、９に沿って動くが、１０、１１のうちいずれか一方は板バネ様の弾性体であり、１０、１１は８および９に弾性力で密接している。８あるいは９が位置変化するとブレード軸１は回転しブレードピッチ角が変化する。この方法は、弾性力とブレードに働く空気力等との釣合いでピッチ角を決める場合にピッチ角制御を可能にする。
【産業上の利用可能性】
【００１０】
特開平１０-６１５９８で考案の航空機、送風機、ポンプ、水車、風車に適用可能であり、従来のタービン型送風機等の代替としての活用が期待できる。
【図面の簡単な説明】
【００１１】
【図１】請求項１の実施例である。
【図２】請求項２の実施例である。
【図３】請求項３の実施例である。
【符号の説明】
【００１２】
１    ブレード軸
２    クランクアーム
３    ピッチガイド板
４    ブレードガイド溝
５    ガイド板
６    ローラ
７    ブレードガイド溝
８    ガイド板
９    ガイド板
１０    アーム
１１    アーム
【図１】
2006291796.tif 000003
【図２】
2006291796.tif 000004
【図３】
2006291796.tif 000005
(57)【要約】【課題】従来の防水手袋は使用者が手を肘より上に上げて使用すると、使用者の衣服の袖口を濡らしたり、汚したりするという問題があったり、水や水溶液が防水手袋の手挿入用開口部から防水手袋の使用時に素手と接する、手袋内側へ流れ込みそこを濡らしたり汚したりという問題があった。【解決手段】防水手袋の表面の手首付近から手挿入用開口部方向へ親指側から小指側に向けて傾斜したひだを一周取り付け、これによって指先方向から流れてくる、水や水溶液を使用者の腕の外側方向へと排出させ防水手袋の内側の素手と接触する面に水や水溶液が回りこんだり衣服の袖を濡らしたり汚したりすることをさけられる。【選択図】図１
2006291428.tif 000002
【特許請求の範囲】
【請求項１】
作業用防水手袋の袖口付近に指先方向から水や水溶液が流れ、使用者の袖口を濡らしたり、防水手袋の手挿入用開口部より防水手袋の指先方向から流れてきた水や水溶液が入り込み防水手袋の内側の素手と接する面を濡らしたり、汚したりしないための、防水手袋の表面上の水の流れを操作するためのひだを設けた防水手袋
【発明の詳細な説明】
【技術分野】
【０００１】本発明は防水手袋表面上に付着した水や水溶液の流れを操作し、防水手袋内部の素手と接する面が濡れたり汚れたりするのを避けると共に、作業中防水手袋に接している服の袖などを濡らしたり、汚したりしないように作られている。
【背景技術】
【０００２】従来の防水手袋は指先から手挿入用開口部までの長さを増すことにより、内側への水や水溶液の浸入を防ぎ、防水手袋と接する服の袖が濡れたり汚れたりするのを防いできたが、そのような防水手袋は脱着に手間取るだけでなく、防水手袋表面上に付着している水や水溶液の指先から袖方向への流れが速かったり、手が肘よりも上に来る位置で手や腕に水や水溶液がかかる作業をしていた場合に、防水手袋の手挿入用開口部まで水や水溶液がとうたつすることがあり、その場合に、防水手袋の手挿入用開口部付近の、服の袖や腕が濡れたり汚れたりし、その後手を肘より地面に近くした場合、防水手袋の手挿入用開口部より水や水溶液が浸入し、防水手袋内部の素手と接する面が濡れたり、汚れたりしていた。
【発明の開示】
【発明が解決しようとする課題】
【０００３】防水手袋の指先から肘方向へ防水手袋表面上を水や水溶液が流れたとしても防水手袋の手挿入用開口部まで、水や水溶液が達しないように防水手袋の表面上を流れる水や水溶液の流れを操作することである。
【課題を解決するための手段】
【０００４】防水手袋の表面の手首部分と手挿入用開口部の間に親指側から小指側にかけて手挿入用開口部に対して約３０度の角度で傾斜をつけた、親指側および手の甲の側の幅は約０．７ｃｍ、手のひら側及び小指側の幅は約１．３ｃｍのひだを一周させて設ける。
【発明の効果】
【０００５】本発明の防水手袋は表面に取り付けたひだが、親指方向から小指方向にかけて傾斜していることにより指先方向から流れてくる水や水溶液を使用者の腕の外側方向へと排出する仕組みとなっており、手袋内側の素手と接触する面や使用者の衣服の袖を濡らしたり汚したりすることを避けられる。
【発明を実施するための最良の形態】
【０００６】以下、本発明の実施の形態を図１〜図２に基づいて説明する。【０００７】図１において、１は親指側のひだで防水手袋の表面の手首付近から手挿入用開口部方向へ約３ｃｍ離れた部分に取り付け、ひだを１周取り付けるさい、小指側は手首付近から約９ｃｍ離れた箇所を通るようにさせひだに手挿入用開口部に対し約３０度の傾斜を持たせるようにする。そのさい、ひだの幅は親指側および手の甲の側が約０．７ｃｍ、手のひら側及び小指側が約１．３ｃｍが妥当。【０００８】上記の構成により指先方向から流れてくる水や水溶液はひだにぶつかりひだの傾斜に従って図１における１の側から２の方向へと流れてゆく。これにより水や水溶液が手袋内側の素手と接触する面に回り込んだり使用者の衣服の袖を濡らしたりすることを避けられるという効果が得られる。
【産業上の利用の可能性】
【０００９】清掃で水洗いなどを行なう時に、水や洗剤の溶けた水溶液や汚水が防水手袋の内側の素手と接触する面に回りこんで肌に触れることによる肌荒れや、使用者が衣服の袖を濡らしたり汚したりすることを避けられる
【図面の簡単な説明】
【００１０】
【図１】    本発明の実施の形態を示す正面図
【図２】    同  小指方向から見た斜視図
【図３】    同  親指方向から見た斜視図
【符号の説明】
【００１１】    １．  親指側の取付部位
２．  小指側の取付部位
【図１】
2006291428.tif 000003
【図２】
2006291428.tif 000004
【図３】
2006291428.tif 000005
【手続補正書】
【提出日】平成17年12月16日(2005.12.16)
【手続補正１】
【補正対象書類名】明細書
【補正対象項目名】０００４
【補正方法】変更
【補正の内容】
【０００４】防水手袋の手挿入用開口部を親指側は手首から約３ｃｍ、小指側は手首から約９ｃｍ取り、従来品の手挿入用開口部に対して約３０度の傾斜をつけた形とする。そして手挿入用開口部のへりに、親指側および手の甲の側には、幅は約０．７ｃｍ、手のひら側及び小指側の幅は約１．３ｃｍと幅が変化しているひだを一周させて設ける。
【手続補正２】
【補正対象書類名】明細書
【補正対象項目名】０００７
【補正方法】変更
【補正の内容】
【０００７】図１において、１は親指側のひだで防水手袋の表面の手首付近から手挿入用開口部方向へ約３ｃｍ離れた部分に取り付け、ひだを１周取り付けるさい、小指側は手首付近から約９ｃｍ離れた箇所を通るようにさせひだに従来品の手挿入用開口部に対し約３０度の傾斜を持たせるようにする。そのさい、ひだの幅は親指側および手の甲の側が約０．７ｃｍ、手のひら側及び小指側が約１．３ｃｍが妥当。
【手続補正３】
【補正対象書類名】明細書
【補正対象項目名】００１１
【補正方法】変更
【補正の内容】
【００１１】１．  親指側のひだ取付部位
２．  小指側のひだ取付部位
３．  従来品の手挿入用開口部
４．  手袋内側部分
【手続補正４】
【補正対象書類名】図面
【補正対象項目名】図１
【補正方法】変更
【補正の内容】
【図１】
2006291428.tif 000006
【手続補正５】
【補正対象書類名】図面
【補正対象項目名】図２
【補正方法】変更
【補正の内容】
【図２】
2006291428.tif 000007
【手続補正６】
【補正対象書類名】図面
【補正対象項目名】図３
【補正方法】変更
【補正の内容】
【図３】
2006291428.tif 000008
(57)【要約】【課題】施工やメンテナンスのために箱体本体及び扉体の内側から蝶番を簡単に取り外せるようにした上で箱体本体及び扉体の外側からは蝶番が取り外せないようにして防犯性を向上し、また、外観が向上する機器収納用箱体を提供する。【解決手段】機器収納用箱体１は蝶番４の箱体側羽根板４ａと扉体側羽根板４ｂに複数のスタッドボルト４ｄ，４ｅを垂設し、箱体本体２及び扉体３にこれらのスタッドボルト４ｄ，４ｅと対向する取付孔２ａ，３ａを穿設し、箱体側羽根板４ａのスタッドボルト４ｄを箱体本体２の取付孔２ａに挿通して内側からナット５ａで締め付け固定し、扉体側羽根板４ｂのスタッドボルト４ｅを扉体３の取付孔３ａに挿通して内側からナット５ｂで締め付け固定して扉体３を箱体本体２に開閉自在に取り付ける。【選択図】図１
2006291484.tif 000002
【特許請求の範囲】
【請求項１】
箱体本体の外側面に固定される箱体側羽根板と、扉体の外側面に固定される扉体側羽根板とを枢軸を介して回動自在に連結してなる蝶番により前記箱体本体に前記扉体を取り付ける機器収納用箱体において、前記箱体側羽根板と前記扉体側羽根板の少なくとも一方に複数のスタッドボルトを垂設し、該スタッドボルトを前記箱体本体又は前記扉体の取付孔に挿通させて内側からナットで締め付け固定したことを特徴とする機器収納用箱体。
【発明の詳細な説明】
【技術分野】
【０００１】
本発明は、機器収納用箱体の箱体本体に扉体を取り付ける構造に関する。
【背景技術】
【０００２】
従来、箱体本体の外側面に固定される箱体側羽根板と、扉体の外側面に固定される扉体側羽根板とを枢軸を介して回動自在に連結してなる蝶番により箱体本体に扉体を取り付けられる構造の機器収納用箱体は、箱体側羽根板と扉体側羽根板に複数の螺子挿通孔を夫々穿設し、これらの螺子挿通孔と対向する箱体本体及び扉体にネジ孔を形成して、箱体本体及び扉体の外側から取付ネジを螺子挿通孔に挿通させてネジ孔に螺合させることにより蝶番を介して箱体本体に扉体を取り付け、施工時やメンテナンス時に箱体本体側又は扉体側の取付ネジを取り外すことにより扉体が簡単に外せるようになっていた（例えば、特許文献１参照）。
【０００３】
【特許文献１】特開平１１−８１７７８号公報（第１図）
【発明の開示】
【発明が解決しようとする課題】
【０００４】
このため、従来の機器収納用箱体は扉体を施錠していても箱体本体及び扉体の外側から蝶番の取付ネジが取り外せるので防犯上好ましくなかった。また、箱体本体及び扉体の外側に取付ネジが露出するので外観が損なわれていた。
【課題を解決するための手段】
【０００５】
本発明は、箱体本体の外側面に固定される箱体側羽根板と、扉体の外側面に固定される扉体側羽根板とを枢軸を介して回動自在に連結してなる蝶番により箱体本体に扉体を取り付ける機器収納用箱体において、箱体側羽根板と扉体側羽根板の少なくとも一方に複数のスタッドボルトを垂設し、スタッドボルトを箱体本体又は扉体の取付孔に挿通させて内側からナットで締め付け固定したことを特徴とする。
【発明の効果】
【０００６】
本発明によれば、箱体本体及び扉体の内側から蝶番を固定するナットを外すことにより施工やメンテナンスのために箱体本体から扉体を簡単に取り外すことができるようにした上で、箱体本体及び扉体の外側からは蝶番が取り外せないので防犯性が向上し、また、蝶番の羽根板がすっきりして外観が向上するという効果がある。
【発明を実施するための最良の形態】
【０００７】
機器収納用箱体は蝶番の箱体側羽根板と扉体側羽根板に複数のスタッドボルトを垂設し、箱体本体及び扉体にこれらのスタッドボルトと対向する取付孔を穿設し、箱体側羽根板のスタッドボルトを箱体本体の取付孔に挿通して内側からナットで締め付け固定し、扉体側羽根板のスタッドボルトを扉体の取付孔に挿通して内側からナットで締め付け固定して扉体を箱体本体に開閉自在に取り付ける。
【実施例１】
【０００８】
本発明に係る機器収納用箱体の実施例１を図１の添付図面に基づいて説明する。
【０００９】
機器収納用箱体１は、内部に各種機器を収納する箱体本体２と、箱体本体２の前面開口を閉塞する扉体３と、箱体本体２に扉体３を取り付ける複数の蝶番４とを備えている。
【００１０】
蝶番４は箱体本体２の外側面に固定される箱体側羽根板４ａと、扉体３の外側面に固定される扉体側羽根板４ｂと、箱体側羽根板４ａと扉体側羽根板４ｂを回動自在に連結する枢軸４ｃとで成り、箱体側羽根板４ａ及び扉体側羽根板４ｂには複数のスタッドボルト４ｄ，４ｅが垂設されている。
【００１１】
また、箱体本体２及び扉体３は蝶番４のスタッドボルト４ｄ，４ｅと対向する位置に取付孔２ａ，３ａが穿設されている。
【００１２】
このように形成された機器収納用箱体１は、蝶番４のスタッドボルト４ｄを箱体本体２の取付孔２ａに挿通させて内側からナット５ａで締め付けて箱体側羽根板４ａを固定し、スタッドボルト４ｅを扉体３の取付孔３ａに挿通させて内側からナット５ｂで締め付けて扉体側羽根板４ｂを固定する。
【００１３】
こうして、扉体３は箱体本体２に蝶番４を介して開閉自在に取り付けられる。蝶番４の箱体側羽根板４ａ及び扉体側羽根板４ｂの表面はすっきりして外観が向上するとともに、施工時やメンテナンス時に箱体本体２側のナット５ａ又は扉体３側のナット５ｂを取り外すことにより扉体３を簡単に取り外すことができる。また、機器収納用箱体１の外側からは扉体３が取り外せないので防犯性が向上する。
【００１４】
尚、本実施例において箱体側羽根板４ａ及び扉体側羽根板４ｂの両方にスタッドボルト４ｄ，４ｅを垂設したが少なくとも一方に設ければ良く、他方は溶接して固定しても良い。
【図面の簡単な説明】
【００１５】
【図１】本発明の機器収納用箱体を示す断面図である。
【符号の説明】
【００１６】
１    機器収納用箱体
２    箱体本体
２ａ    取付孔
３    扉体
３ａ    取付孔
４    蝶番
４ａ    箱体側羽根板
４ｂ    扉体側蝶番
４ｃ    枢軸
４ｄ    スタッドボルト
４ｅ    スタッドボルト
５ａ    ナット
５ｂ    ナット
【図１】
2006291484.tif 000003
(57)【要約】【課題】水洗トイレ用手洗器の排水構造において、便器洗浄に伴う排水管内の圧力変動の影響を防止する。【解決手段】便器１の側方壁面に取り付けられる手洗器２の排水管３を、便器１の汚物排管４に接続した水洗トイレ用手洗器の排水構造において、手洗器２の排水管３に設けたトラップ７と汚物排管４への接続部との間に逆止弁装置８を介在させ、この逆止弁装置８として、弁体１１が手洗器２からの排水により開き、汚物排管４側に発生する負圧によっては開かないものを用いる。便器１の洗浄に伴い、排水管３の汚物排管４側に負圧が発生しても、逆止弁装置８の弁体１１が開かないので、気泡の流動音が発生したり、手洗器２のトラップ５から封水が吸引されて臭気が漏れたりすることがない。【選択図】図１
2006291496.tif 000002
【特許請求の範囲】
【請求項１】
便器１の側方壁面に取り付けられる手洗器２の排水管３を、便器１の汚物排管４に接続した水洗トイレ用手洗器の排水構造において、手洗器２の排水管３に設けたトラップ７と汚物排管４への接続部との間に逆止弁装置８を介在させ、この逆止弁装置８として、弁体１１が手洗器２からの排水により開き、汚物排管４側に発生する負圧によっては開かないものを用いたことを特徴とする水洗トイレ用手洗器の排水構造。
【請求項２】
請求項１に記載の水洗トイレ用手洗器の排水構造において、前記逆止弁装置８の弁体１１を、上端部に設けたヒンジ軸１２を中心として揺動し、その揺動に伴い、上向きに傾斜した弁座面に対し接離するものとしたことを特徴とする水洗トイレ用手洗器の排水構造。
【請求項３】
請求項２に記載の水洗トイレ用手洗器の排水構造において、前記逆止弁装置８を、ケース９に挿入される内挿体１０に弁体１１を取り付けて、内挿体１０の一端面を弁座面とする構成としたことを特徴とする水洗トイレ用手洗器の排水構造。
【発明の詳細な説明】
【技術分野】
【０００１】
この発明は、水洗トイレにおいて、便器の側方壁面に取り付けられる手洗器の排水構造に関するものである。
【背景技術】
【０００２】
従来、水洗トイレにおいては、便器の後方に洗浄タンクを設置し、給水管から洗浄タンクへ落下する水で手を洗う形式のものが多用されていたが、近年、トイレの室内のインテリア性やスペース効率を向上させるため、洗浄タンクが不要な便器を設置し、便器の側方壁面に手洗器を別途取り付ける施工例が増加している。この場合、手洗器の排水管は、便器の汚物排管に分岐継手を介して接続される。
【発明の開示】
【発明が解決しようとする課題】
【０００３】
しかしながら、上記のような排水構造では、便器の洗浄水を汚物排管へ流すと、手洗器の排水管内の圧力が変動し、トラップの封水中に気泡が流れる音が発生したり、封水が汚物排管側へ吸引されて臭気が漏れたりすることがあった。
【０００４】
そこで、この発明は、水洗トイレ用手洗器の排水構造において、便器洗浄に伴う排水管内の圧力変動の影響を防止することを課題とする。
【課題を解決するための手段】
【０００５】
上記課題を解決するため、この発明は、便器の側方壁面に取り付けられる手洗器の排水管を、便器の汚物排管に接続した水洗トイレ用手洗器の排水構造において、手洗器の排水管に設けたトラップと汚物排管への接続部との間に逆止弁装置を介在させ、この逆止弁装置として、弁体が手洗器からの排水により開き、汚物排管側に発生する負圧によっては開かないものを用いたのである。
【０００６】
なお、この排水構造においては、逆止弁装置の弁体を、上端部に設けたヒンジ軸を中心として揺動し、その揺動に伴い、上向きに傾斜した弁座面に対し接離するものとすれば、手洗器からの排水がないとき、弁体が自重で閉じるため、構造を簡素化できる。
【０００７】
また、この場合、逆止弁装置を、ケースに挿入される内挿体に弁体を取り付けて、内挿体の一端面を弁座面とする構成とすれば、逆止弁装置の組み立てが容易になる。
【発明の効果】
【０００８】
この発明に係る排水構造では、便器の洗浄に伴い、手洗器の排水管の汚物排管側に負圧が発生しても、逆止弁装置の弁体が開かないので、気泡の流動音が発生したり、手洗器のトラップから封水が吸引されて臭気が漏れたりすることがなく、トイレの室内を快適な環境とすることができ、手洗器の排水に支障が生じることもない。
【発明を実施するための最良の形態】
【０００９】
以下、この発明の実施形態を添付図面に基づいて説明する。
【００１０】
図１に示すように、この水洗トイレにおいては、洗浄タンクが不要な洋式の便器１が設置され、その側方壁面に手洗器２が別途取り付けられている。手洗器２の排水管３は、便器１の汚物排管４に分岐継手を介して接続され、排水管３及び汚物排管４は、インテリア性を考慮して、トイレ室内の壁面に沿ったキャビネット５，６で覆われている。
【００１１】
キャビネット５，６の内部において、排水管３には、手洗器２側にトラップ７が設けられ、トラップ７と汚物排管４への接続部との間の水平に近い緩勾配部分に逆止弁装置８が介在している。
【００１２】
この逆止弁装置８は、図２及び図３に示すように、角筒状のケース９及び内挿体１０を基本部材とし、内挿体１０に弁体１１を上端部のヒンジ軸１２を介して揺動自在に取り付け、内挿体１０の一端面を上向きに傾斜した弁座面とし、ケース９に内挿体１０を挿入して、ケース９の両端に接続体１３を固着した構成とされている。
【００１３】
逆止弁装置８と排水管３との接続は、接続体１３と排水管３のねじ部にナット１４を螺合させることにより行われる。
【００１４】
このような逆止弁装置８を設けた排水構造では、手洗器２からの排水がないときには、弁体１１が自重で閉じており、便器１の洗浄に伴い、排水管３の汚物排管４側に負圧が発生しても、逆止弁装置８の弁体１１が開かないようになっている。
【００１５】
従って、気泡の流動音が発生したり、トラップ５から封水が吸引されて臭気が漏れたりすることがなく、トイレ室内を快適な環境とすることができる。
【００１６】
また、手洗器２の水栓を開いて、手洗水を排水管３へ流すと、この水流により弁体１１が開いて、手洗水は支障なく汚物排管へ排出される。
【００１７】
また、逆止弁装置８が簡単な構造となっているので、容易に組み立てることができ、異物が詰まった場合などにおけるメンテナンスも容易に行うことができる。
【図面の簡単な説明】
【００１８】
【図１】この発明に係る水洗トイレ用手洗器の排水構造を示す斜視図
【図２】同上の逆止弁装置の分解斜視図
【図３】同上の作動状態を示す縦断面図
【符号の説明】
【００１９】
１  便器
２  手洗器
３  排水管
４  汚物排管
５，６  キャビネット
７  トラップ
８  逆止弁装置
９  ケース
１０  内挿体
１１  弁体
１２  ヒンジ軸
１３  接続体
１４  ナット
【図１】
2006291496.tif 000003
【図２】
2006291496.tif 000004
【図３】
2006291496.tif 000005
(57)【要約】      （修正有）【課題】小児の湿疹やアトピー性皮膚炎等のかゆみによる掻き傷での悪化を防ぐための手袋（ミトン）であり、通常は袋状になり、すべての指が覆われ、手首付近でゴムにより固定されている。しかし指しゃぶりができない・サイズが合わない・ゴムが伸び縮みするため小児自らひっぱり離脱してしまう。これらより指しゃぶりができる・サイズ調整を可能にし自由離脱を防げる手袋を提供する。【解決手段】手袋（ミトン）の親指側を縫ってとじてしまわず、人差し指が出ない程度までにとどめ親指が出せるようにあけておく。また、すべての指を包む場合は開口部を手首付近のみに小さくとる。手首の固定部を開口部の位置にとり平面テープ固定にする。【選択図】図１
2006291433.tif 000002
【特許請求の範囲】
【請求項１】
小児用の手袋（ミトン）の片側（親指側）を縫ってとじてしまわずに人差し指が出ない程度までにとどめ、親指が常時出ている状態にしている手袋（ミトン）。
【請求項２】
請求項１の手袋または指すべてを包む場合にも、手首の固定部に開口部を設け、それら開口部の高さにマジックテープの固定部を設けたマジックテープによる着脱式の手袋（ミトン）。
【発明の詳細な説明】
【技術分野】
【０００１】本発明は小児の湿疹等による掻痒感で皮膚を傷つけないように保護する手袋であって、おしゃぶりをできる・引っぱり自分で脱がないようにできる手袋に関するものである。
［背景技術］【０００２】従来、小児の湿疹やアトピー性皮膚炎などのかゆみによる掻き傷での悪化を防ぐため、手袋（ミトン）を装着させることは知られている。
［発明の開示］
［発明が解決しようとする課題］【０００３】小児に手袋を装着するさい、次のような問題点があった。
乳児の２〜３ヵ月ごろより大脳の発達に伴い、指しゃぶりをはじめる子が多い。従来の手袋（ミトン）を装着することにより掻き傷による悪化の予防はできるが、すべての指が手袋で覆われているため指が出せず指しゃぶりができない。
また手袋の固定がゴムのためサイズが合わないことや、手袋をしている手で、もう片方の手袋をつかみ、引っぱって脱いでしまう。
本発明はこれらの問題点を解決するためになされたものである。
［課題を解決するための手段］【０００４】手袋（ミトン）の親指側を縫って閉じてしまわず人さし指がでない程度までにとどめ、親指が出るようにあけておく。
また、すべての指を包む場合は開口部を手首付近のみに小さくとる。どちらの際も、手首の固定部を開口部の位置にとり、マジックテープ固定にする。
［発明の効果］【０００５】本発明により親指が出ているため指しゃぶりができる。
固定部をマジックテープにすることによりサイズの調整・自由離脱予防を可能にすることができる。
［発明の実施の最良の形態］【０００６】以下本発明の実施の形態を説明する。
イ）綿などの生地からなる袋体（１）の手袋（ミトン）の片面側に開口部（４）を設ける。
ロ）開口部（４）を人差し指がでない程度の大きさでとり、親指のみが出るようにする。または、すべての指を袋体（１）に入れる場合は開口部（４）を手首の位置に小さく設ける。
ハ）開口部（４）の高さの位置で、サイズ調整できるようマジックテープ部（２）（３）を設ける。
本発明は以上の構成よりなる。本発明を使用する場合は、親指以外を袋体（１）で包み込み親指を出し、開口部（４）をしめたり、ゆるめたりした位置でサイズ調整を行い、マジックテープにより固定する。
またはすべての指を袋体（１）で包み込み同様に開口部（４）をしめたり、ゆるめたりしてサイズ調整を行い、マジックテープ（２）（３）により固定する。
【図面の簡単な説明】
【０００７】［図１］本発明の正面図
［図２］本発明の使用状態の図（固定前）
［図３］本発明の使用状態の図（固定後）
［図４］本発明の正面図
［図５］本発明の使用状態の図（固定前）
［図６］本発明の使用状態の図（固定後）
【符号の説明】
【０００８】（１）袋体（２）マジックテープ部（３）マジックテープ部（４）開口部（５）マジックテープ重なり部
【図１】
2006291433.tif 000003
【図２】
2006291433.tif 000004
【図３】
2006291433.tif 000005
【図４】
2006291433.tif 000006
【図５】
2006291433.tif 000007
【図６】
2006291433.tif 000008
(57)【要約】【課題】従来のヘルメットでは、太陽光線等の強い時にはサングラス等を使用し、大変面倒であった。メガネ等使用者には防眩手段が少なく不便であった。又着色シールドのみの使用では雨天や夜間等の視界不良の場合十分な安全性が得られず大変危険であった。【解決手段】着色シールド板をヘルメット内部に配置し、必要時に前部開口部を覆い、不必要時には着色シールド板を本体内部に収納できる。これにより利用者は透明シールド板と着色シールド板との自由な選択ができ、視界不良時またはメガネ等使用者にとっても安全に使用できる。利用者の安全性の向上と利便性の向上を計りデザイン的にも違和感なく使用できるものである。【選択図】図１
2006291435.tif 000002
【特許請求の範囲】
【請求項１】
ヘルメット本体とその前部開口部からなるヘルメットにおいて着色シールド板を、本体内部に配置し、前部開口部の周縁の本体内部に、一対のレールを設け、着色シールド板を一対のレール上でスライドさせ、着色シールド板を開口部と本体内部間を進退動させたことを特徴とするヘルメット。
【発明の詳細な説明】
【技術分野】
【０００１】本発明は、オートバイなどの乗り物に搭乗する際に、太陽光線等の強い場合でも、サングラス等を用いずに使用できるヘルメットに関する。
【背景技術】
【０００２】従来のヘルメットは前部開口部を透明シールド板又は着色透明板にて上下に昇降させ使用するものである。またシールド板を２重に構成しているものもある。（例えば特許文献１参照）【０００３】以下  従来のヘルメットについて図２により説明する。
図においてはヘルメット本体、２は透明又は着色シールド板である。
ヘルメット使用時には、通常は、３の回転軸を中心にシールド板を上・下に昇降させ、顔への風当たりを無くし、又、太陽光線による眩しさから逃れている。
市場においては、透明シールド板が大半をしめる。【０００４】又、４の着色シールド板を２重に構成するものや２のシールド板に後から着色フィルムを張る物もある。【０００５】
【特許文献１】実開平６−７３１２８号公報
【発明の開示】
【発明が解決しようとする課題】
【０００６】以上に述べた従来のヘルメットでは、透明シールド使用時には着色サングラス等を使用する必要があり、大変面倒であった。
メガネ等使用者には、防眩手段が少なく不便である。
また、着色シールド使用時には、雨天や夜間等の視界不良の場合十分な安全性が得られず、大変危険であった。【０００７】本発明は、従来のこのような問題点を解決しようとするものであり使用者の安全性の向上と利便性の向上を目的とするものである。
【課題を解決するための手段】
【０００８】本発明は上記目的を達成するために、メルメット本体の内部に着色シールド板を配置し、前部開口部分をタテ又はヨコ方向にスライドさせ、必要時に使用者が自在に着色シールド板と透明シールド板とを共に利用できる為のヘルメットの提供である。
【発明の効果】
【０００９】上述のように、本発明は、夜間や雨天の視界不良時または、メガネ等使用者が利用した場合、利用者自身が自在に形体を変える事により、安全性の向上と利便性の向上に効果を発揮するものである。
【発明を実施するための最良の形態】
【００１０】以下、本発明の実施の形態を添付図面に基づいて説明する。【００１１】図１において、１１はヘルメット本体、１２は透明シールド板１３はシールドの回転軸である。
本体前面の開口部分１５を１４の着色シールド板にて覆う。【００１２】図３において、１４は着色シールド板、１６は着色シールド板を固定し導く為のレールである。【００１３】図４において、１１はヘルメット本体、１７は衝撃吸収材１４は着色シールド板、１６は一対のレールである。【００１４】以下、上記構成の動作を説明する。１４の着色シールド板は、１６の一対のレールによって導かれ、タテ又はヨコ方向にスライドさせる事ができる。それを、図４のように、１１のヘルメット本体と１７の衝撃吸収材との間に固定する。（スライド方向により、レールの配置場所は異なる。）【００１５】通常使用時には、１４の着色シールド板は、本体内部に収納しておき、１２の透明シールド板を、上下に運動させる事により、１５の前部開口部を覆い顔面への風当たり等を防止し、安全に使用することができる。【００１６】太陽光線等のまぶしい時は、１４の着色シールド板をタテ又はヨコ方向にスライドさせ、１５の前部開口部を覆う事により、サングラス等をした時と同等の防眩効果を利用者は、得ることができる。【００１７】メガネ等使用者もサングラスをした時と同等の防眩効果が得られる。【００１８】通常の使用時には１２の透明シールドを使用し、必要時には１４の着色シールドを使用する事により、利用者は装着方法を自在に選択でき、不必要時には１４の着色シールドを本体内部に収納することにより十分な視界をもって、より安全な使用が実施できる。
【図面の簡単な説明】
【００１９】
【図１】本発明の実施形態を示すヘルメットの側面図
【図２】従来のヘルメットの側面図
【図３】本発明の部分構造図
【図４】本発明の実施形態を示すヘルメットの図１におけるＡ−Ａ線断面図
【符号の説明】
【００２０】１１  ヘルメット本体
１４  着色シールド板
１５  前部開口部
１６  レール
【図１】
2006291435.tif 000003
【図２】
2006291435.tif 000004
【図３】
2006291435.tif 000005
【図４】
2006291435.tif 000006
(57)【要約】【課題】年齢、体格、人種、障害等にかかわらず、すべての人を豊かに、幸せにする事を目指し、留め外しが非常に容易なユニバーサルデザインの留め具を提供する。【解決手段】袖口の釦を挿通して固定出来る弾性部を有する下板と、釦を挿通する事が出来る中板と、下板に対して嵌合係止出来る突起を有する上板を備えて、ピンで接続する事により折りたたみ、広げる事が可能な折りたたみ式留め具とし、釦ホールへ袖口の釦を挿通する事なく、両袖の留め外しが非常に容易に出来る。【選択図】図６
2006291431.tif 000002
【特許請求の範囲】
【請求項１】
一方の袖口の釦を他方の袖の釦ホールに挿通する事なく、両袖を容易に留める事が出来る折りたたみ式留め具。
【請求項２】
請求項１に記載の三つ折り式留め具。
【請求項３】
釦を挿通して固定出来る弾性部を有する板を備える請求項１に記載の折りたたみ式留め具。
【請求項４】
釦を挿通する事が出来る中板を備える請求項１に記載の折りたたみ式留め具。
【請求項５】
下板に対して嵌合係止出来る突起を有する上板を備える請求項１に記載の折りたたみ式留め具。
【請求項６】
下板にポリアセタールを使用する請求項１に記載の折りたたみ式留め具。
【請求項７】
下板にナイロンを使用する請求項１に記載の折りたたみ式留め具。
【請求項８】
上板に真鍮を使用する請求項１に記載の折りたたみ式留め具。
【請求項９】
上板に釦を取り付けておいて該釦を袖口の釦ホールに留め、袖口の釦を下板に挿通して固定出来る請求項１に記載の折りたたみ式留め具。
【請求項１０】
下板を袖口生地に糸付けし固定する請求項９に記載の折りたたみ式留め具。
【発明の詳細な説明】
【技術分野】
【０００１】本発明は衣類用の留め具に関する。
【背景技術】
【０００２】以前から袖口において釦を釦ホールに挿通して留め外しする事はなかなか面倒で厄介な事であった。特に釦ホールに対して釦の大きさが大きくきつい場合は尚更であった。【０００３】
【特許文献】実用新案登録第３０９１５７９号公報
【発明の開示】
【発明が解決しようとする課題】
【０００４】    本発明は年齢、体格、人種、障害等にかかわらず、すべての人を豊かに、幸せにする事を目指す中で、釦ホールへ袖口の釦を挿通する事なく、両袖の留め外しが非常に容易である留め具を提供する事を目的とする。
【課題を解決するための手段】
【０００５】  本発明は、以上の課題を解決するため、袖口の釦を挿通して固定出来る弾性部を有する下板と、釦を挿通する事が出来る中板と、下板に対して嵌合係止出来る突起を有する上板を備えて、ピンで接続する事により折りたたみ、広げる事が可能な折りたたみ式留め具とし、釦ホールへ袖口の釦を挿通する事なく、両袖の留め外しが非常に容易である事を特徴とする。
【発明の効果】
【０００６】  本発明により年齢、体格、人種、障害等にかかわらず、釦ホールへ袖口の釦を挿通する事なく、両袖の留め外しが非常に容易な留め具を提供する事が出来る。
【発明を実施するための最良の形態】
【０００７】  以下、本発明の実施の形態を第一実施例として図１〜図７に基づいて説明する。【０００８】  図において、１は折りたたみ式留め具の形態の１つである三つ折り式留め具の上板、２は該三つ折り式留め具の中板、３は同三つ折り式留め具の下板であり、これら３部材が結合ピンで結合してある。そして、該３部材は折り畳んだ時に湾曲させてあり、腕にフィットする形態である。【０００９】  シャツ等の袖口について、まず袖口の釦を該三つ折り式留め具の下板の釦挿通孔を通して釦裏の縫い糸は糸係止穴で係止する。そして中板を畳んで重ね釦を釦収納穴に納める。【００１０】  続いて上板の嵌合突起を釦ホールに挿通した上で中板の嵌合突起挿通孔を通じ、下板の突起係止弁で係止される。この時に下板の素材がポリアセタール樹脂であるためにその弾性により確実に係止される。【００１１】  なお、中板と下板の素材には上記のポリアセタールの他に弾性を有する樹脂または金属が使用出来る。【００１２】  また、上板の素材には真鍮、アルミニウム等の他、弾性を有する樹脂または金属が使用出来る。【００１３】  本発明の別の実施の形態を第二実施例として図８に基づいて説明する。【００１４】  図において、上板は樹脂製であり、取り付ける釦の穴と合致した穴を有する。これに釦を予め取り付けておき、該釦を釦ホールに挿通する。これによって釦ホール側の袖と留め具が係止され、他方の袖口の釦も第一実施例のように確実に係止されるので、両袖を確実に係止する事が出来る。【００１５】  更に本発明の別の実施の形態を第三実施例として図９に基づいて説明する。【００１６】  図において、下板は袖に縫い付けるための穴を有しており、直接袖の生地に縫い付け固定される。そして上板は第二実施例の通りに取り付ける釦の穴と合致した穴を有し、これに釦を予め取り付けておいて該釦を釦ホールに挿通する。これによって釦ホール側の袖と留め具が係止され、他方の袖口も糸で縫い付け固定されるので、両袖を確実に係止する事が出来る。
【図面の簡単な説明】
【００１７】
【図１】本発明の実施形態の第一実施例を示す三つ折り式留め具の伸ばした状態を示す斜視図。
【図２】同三つ折り式留め具の伸ばした状態を示す平面図。
【図３】同三つ折り式留め具の伸ばした状態を示す側面図。
【図４】同三つ折り式留め具の折りたたんだ状態を示す側面図。
【図５】袖釦を同三つ折り式留め具の下板釦挿通孔に挿通した状態を示す斜視図。
【図６】図５の状態から更に他方の袖の釦ホールに対し嵌合突起を挿通して同三つ折り式留め具に挟み込んだ状態を示す斜視図。
【図７】図６の状態から更に同三つ折り式留め具を折りたたんだ状態を示す斜視図。
【図８】本発明の他の実施形態の第二実施例を示す三つ折り式留め具の平面図。
【図９】本発明の他の実施形態の第三実施例を示す三つ折り式留め具の平面図。
【符号の説明】
【００１８】１、１‘、１‘’  −上板
１ａ  −嵌合突起
１ｂ  −開きつまみ
１ｃ  −結合ピン
２  −中板
２ａ  −釦収納穴
２ｂ  −嵌合突起挿通孔
２ｃ  −ピン格納部
３  −下板
３ａ  −釦挿通孔
３ｂ  −糸係止穴
３ｃ  −突起係止弁
４  −一方の袖
４ａ  −袖釦
４‘  −他方の袖
４‘ａ  −釦ホール
５  −釦取り付け用の糸穴
６  −生地縫い付け用の糸穴
【図１】
2006291431.tif 000003
【図２】
2006291431.tif 000004
【図３】
2006291431.tif 000005
【図４】
2006291431.tif 000006
【図５】
2006291431.tif 000007
【図６】
2006291431.tif 000008
【図７】
2006291431.tif 000009
【図８】
2006291431.tif 000010
【図９】
2006291431.tif 000011
(57)【要約】【課題】  鉢や花瓶などの人工の補助手段だけに頼らず、鑑賞用植物そのものに人工の美を加味することができ、豪華さや美しさを強める鑑賞用植物を提供する。【解決手段】  接着剤を、装飾用の粉を施したい鑑賞用植物の花びらや葉や茎などの位置に塗布し、あるいは、吹き付け、接着剤が半乾きのうちに装飾用の粉を施す。【選択図】  なし【特許請求の範囲】
【請求項１】
花びらや葉や茎などに装飾用の粉を接着して施したことを特徴とする鑑賞用植物。
【請求項２】
接着剤を、装飾用の粉を施したい花びらや葉や茎などの位置に塗布し、あるいは、吹き付け、接着剤が半乾きのうちに装飾用の粉を施したことを特徴とする鑑賞用植物の製造方法。
【請求項３】
皮や葉や茎などに、装飾用の粉を、でんぷん糊で接着して施したことを特徴とする野菜あるいは果物。
【発明の詳細な説明】
【技術分野】
【技術分野】
【０００１】  この発明は、花びらや葉や茎などに装飾用の粉を接着して施した鑑賞用植物とその製造方法に関するものである。
【背景技術】
【０００２】  鑑賞用植物には、鉢植えの植物や切り花などがある。鉢植えの植物でも切り花でも、植物本来の持つ美を鑑賞するものである。その美の鑑賞の補助手段として、鉢植えの場合は鉢が、切り花の場合は花瓶がある。そして、それらの人工の補助手段と植物本来の持つ自然の美のバランスが大切にされている。
【発明の開示】
【発明が解決しようとする課題】
【０００３】  しかし、鉢や花瓶などの人工の補助手段だけに頼らず、鑑賞用植物そのものに人工の美を加味した鑑賞用植物がなく、豪華さや美しさに欠ける場合があった。
【課題を解決するための手段】
【０００４】  上記の欠点をなくすために、次のものを発明した。
まず、請求項１について説明する。
花びらや葉や茎などに装飾用の粉を接着して施したことを特徴とする鑑賞用植物である。これは、ラメなどで使用する金色、銀色などのプラスチックの粉で作られた装飾用の粉を、花びらや葉や茎などに接着剤によって接着させたものである。
ここでいう鑑賞用植物は、鉢植えの植物や切り花などである。【０００５】  次に、請求項２について説明する。
接着剤を、装飾用の粉を施したい花びらや葉や茎などの位置に塗布し、あるいは、吹き付け、接着剤が半乾きのうちに装飾用の粉を施したことを特徴とする鑑賞用植物の製造方法である。ここでいう鑑賞用植物は、鉢植えの植物や切り花などである。
工程１：接着剤を使用して、ラメなどで使用する金色、銀色などのプラスチックの粉で作られた装飾用の粉（以下、装飾用の粉という）を、鑑賞用植物の花びらや葉や茎などに接着させるわけであるが、装飾用の粉は極軽量であるため、接着力は極めて弱いもので十分である。
工程２：接着剤を刷毛などで、装飾用の粉を施したい花びらや葉や茎などの位置に塗布する。あるいは、接着剤をスプレー容器に入れて、装飾用の粉を施したい花びらや葉や茎などの位置に吹き付ける。
工程３：塗布した、あるいは、吹き付けた接着剤が半乾きのうちに、接着剤を塗布した、あるいは、吹き付けた位置に、装飾用の粉を指で摘まんで施す。あるいは、装飾用の粉を、小さな孔のある蓋が付いた瓶などの容器に入れ、その蓋の小さな孔から装飾用の粉をこぼしながら施す。【０００６】  次に、請求項３について説明する。
皮や葉や茎などに、装飾用の粉を、でんぷん糊で接着して施したことを特徴とする野菜あるいは果物。これは、請求項２の製造方法を野菜あるいは果物に応用したものであるが、野菜も果物も食用であるから、接着剤をでんぷん糊に限定したものである。
製造方法は、請求項２に準じる。
【発明の効果】
【０００７】  鉢や花瓶などの人工の補助手段だけに頼らず、鑑賞用植物そのものに人工の美を加味することができ、豪華さや美しさを強める鑑賞用植物を提供できる。
また、野菜と果物の場合は、消費者に美しさを強調でき、購買力をアップできる。
【発明を実施するための最良の形態】
【０００８】  以下、本発明を実施するための最良の形態を、請求項１及び請求項２を合わせて説明する。
工程１：接着剤を使用して、ラメなどで使用する金色、銀色などのプラスチックの粉で作られた装飾用の粉（以下、装飾用の粉という）を、鑑賞用植物の花びらや葉や茎などに接着させるわけであるが、装飾用の粉は極軽量であるため、接着力は極めて弱いもので十分である。市販の接着剤でもでんぷん糊などは、水で十分に薄めて使用できる。十分に薄めたものであれば、植物に与える影響を少なくすることができる。
工程２：接着剤を刷毛などで、装飾用の粉を施したい花びらや葉や茎などの位置に塗布する。あるいは、接着剤をスプレー容器に入れて、装飾用の粉を施したい花びらや葉や茎などの位置に吹き付ける。
工程３：塗布した、あるいは、吹き付けた接着剤が半乾きのうちに、接着剤を塗布した、あるいは、吹き付けた位置に、装飾用の粉を指で摘まんで施す。あるいは、装飾用の粉を、小さな孔のある蓋が付いた瓶などの容器に入れ、その蓋の小さな孔から装飾用の粉をこぼしながら施す。
以上が、請求項２の製造方法であり、それによって得られた鑑賞用植物が請求項１である。【０００９】  次に、請求項３についてであるが、製造方法は請求項２に準じる。
装飾用の粉を水洗いすれば、でんぷん糊が溶けると同時に、装飾用の粉も洗い流せるので、食する場合の人体に与える影響は、装飾用の粉を接着する前の野菜や果物と同じである。
【実施例】
【００１０】  本発明の実施例を説明する。ここでは、接着剤は、米などのでんぷん質から製した、粘り気のある糊（以下、でんぷん糊という）を使用する。
装飾用の粉は、ラメなどで使用する金色、銀色などのプラスチックの粉で作られた装飾用の粉（以下、装飾用の粉という）を使用する。
工程１：薄めたでんぷん糊を、刷毛などで、装飾用の粉を施したい鑑賞用植物の花びらや葉や茎などの位置に塗布する。あるいは、薄めたでんぷん糊をスプレー容器に入れて、装飾用の粉を施したい花びらや葉や茎などの位置に吹き付ける。
工程２：塗布した、あるいは、吹き付けたでんぷん糊が半乾きのうちに、でんぷん糊を塗布した、あるいは、吹き付けた位置に、装飾用の粉を指で摘まんで施す。あるいは、装飾用の粉を、小さな孔のある蓋が付いた瓶などの容器に入れ、その蓋の小さな孔から装飾用の粉をこぼしながら施す。
以上が、請求項２の製造方法の実施例であり、それによって得られた鑑賞用植物が請求項１の実施例である。